(57)【特許請求の範囲】
【請求項１】
船艇から延びたアンカーロープと、このアンカーロープの先に繋がれた複数の張りロープと、この張りロープによって周縁部が引っ張られて水中でパラシュート状に広がるシーアンカー本体と、一端部が前記シーアンカー本体の中央部に接続されたシーアンカー引き上げロープと、前記シーアンカー本体の中央部にそれぞれロープを介して接続された錘及び海面に浮かぶ浮力体とを有したシーアンカー、前記シーアンカーを収納する収納バッグを備え、前記収納バッグは、開いた状態において上面開口の直方形状のバッグ本体と、このバッグ本体に組み合わされて前記開口を開閉する蓋を有し、前記バッグ本体内は縦仕切壁によって、中間部に前記シーアンカー本体と張りロープの収納部と、この収納部を挟んで前記アンカーロープの収納部と前記シーアンカー引き上げロープの収納部とに区画され、前記アンカーロープの収納部に併設して前記浮力体の収納部が区画され、前記バッグ本体には運搬用ベルトを設けてなるシーアンカー収納装置。
【請求項２】
請求項１において、前記各収納部には排水孔を設け、前記アンカーロープと前記シーアンカー引き上げロープの手許部を前記バッグ本体に係止してなるシーアンカー収納装置。
【請求項３】
請求項１において、前記アンカーロープと前記アンカーロープの収納部を同色に、また前記シーアンカー引き上げロープと前記シーアンカー引き上げロープの収納部とを前記色と異なる同色に着色してなるシーアンカー収納装置。
【発明の詳細な説明】
【０００１】
【発明の属する技術分野】
本発明は、推進駆動を停止している水上の船艇を、水の抵抗を利用して水上の所望の位置に係留するために用いられるシーアンカーを収納するシーアンカー収納装置に関する。
【０００２】
【従来の技術】
水中において傘状に開くシーアンカーについては、特開平９−２２６６８１号に開示されている。これには、船舶Ｓの揺れを押さえ、風に流されるのを防ぐために水中に収納袋Ｂごと投下し、シーアンカーは収納袋より引き出されて水の力で開き、水の抵抗で船舶を安定させる抵抗体と、この抵抗体を沈めるための錘と、抵抗体が有効に水の抵抗を享受できるようにするためのブイを有する従来技術のシーアンカーの改良発明が開示されている。そして、傘状の抵抗体１と抵抗体１の周縁に連結された張索１２と抵抗体１の中央に連結されたセンター索１３と、張索１２及びセンター索１３の他端を接続するサルカン６とを有し、それぞれが収納袋Ｂに収納されているシ−アンカにおいて、抵抗体１とサルカン６との間のセンター索１３にループ１３１を設けるとともに、ループ１３１を係止するためのフック６１をサルカン６に形成することによって、抵抗体１の大きさを変え得る技術が開示されている。
【０００３】
この特開平９−２２６６８１号では、抵抗体１は、図５に示される収納袋Ｂへの収納される。その収納は、収納袋Ｂの底部の索体収納域７１に、張索１２、センター索１３とサルカン６が収納され、その上に抵抗体１が折り畳んで収納され、更にその上に錘２とブイ３を収納した構成である。
【０００４】
【発明が解決しようとする課題】
このように上記技術では、収納袋Ｂ内は上下方向に、下から索体収納域７１、抵抗体収納域７２、ブイ収納域７３が配置されているため、それぞれの収納に際してかなり上手に収納しなければ絡まりが生じ易くなる。このため、ループ１３１がフック６１に係止した状態で張索１２の弛みが相互に絡まって抵抗体１の開傘を阻害することがあるため、これを防止するために、特別の構成の追加、即ち、収納袋Ｂの索体収納域７１の蓋７１１に余長部分係止ループ７１２を設け、張索１２の余長部分１２１、１３２をここに係止する必要がある。
【０００５】
本発明は、上記のような点に鑑みて、推進駆動を停止している水上の船艇を水の抵抗を利用して水上の所望の位置に係留するために用いられるシーアンカーを、前記船艇上に引き上げたときにそれぞれの機能部分に分けて収納でき、収納した状態で陸上に運搬して真水を掛けて洗浄し、各ロープの絡まりがない状態で再度利用可能な収納装置を提供するものである。
【０００６】
【課題を解決するための手段】
このため、シーアンカー収納装置として本願発明は、船艇から延びたアンカーロープと、このアンカーロープの先に繋がれた複数の張りロープと、この張りロープによって周縁部が引っ張られて水中でパラシュート状に広がるシーアンカー本体と、一端部が前記シーアンカー本体の中央部に接続されたシーアンカー引き上げロープと、前記シーアンカー本体の中央部にそれぞれロープを介して接続された錘及び海面に浮かぶ浮力体とを有したシーアンカー、前記シーアンカーを収納する収納バッグを備え、前記収納バッグは、開いた状態において上面開口の直方形状のバッグ本体と、このバッグ本体に組み合わされて前記開口を開閉する蓋を有し、前記バッグ本体内は縦仕切壁によって、中間部に前記シーアンカー本体と張りロープの収納部と、この収納部を挟んで前記アンカーロープの収納部と前記シーアンカー引き上げロープの収納部とに区画され、前記アンカーロープの収納部に併設して前記浮力体の収納部が区画され、前記バッグ本体には運搬用ベルトを設けてなる技術手段を提供する。
【０００７】
本発明はまた、前記各収納部には排水孔を設け、前記アンカーロープと前記シーアンカー引き上げロープの手許部を前記バッグ本体に係止してなる技術手段を提供する。
【０００８】
本発明は更に、前記アンカーロープと前記アンカーロープの収納部を同色に、また前記シーアンカー引き上げロープと前記シーアンカー引き上げロープの収納部とを前記色と異なる同色に着色した技術手段を提供する。
【０００９】
【発明の実施の形態】
次に、本願発明の実施の形態について説明する。図１乃至図６は本発明の一つの実施形態を示す。図１はシーアンカー全体を示す側面図、図２はシーアンカー収納バッグ本体の平面図、図３はシーアンカー収納バッグ本体の正面図、図４はシーアンカー収納バッグの上部を断面した側面図、図５はシーアンカー収納バッグにシーアンカーを収納した状態を示す斜視図、図６は本発明のシーアンカーを船艇から海中へ流した状態の説明図である。
【００１０】
以下、図に基づいて本発明の実施形態を説明する。本発明のシーアンカー１は、図１にその全体を示している。２は船艇８０の舳先の固定部８１に固定されそこから延びるアンカーロープである。３はアンカーロープ２の先に接続部４を介して元部を接続された複数の張りロープであり、この張りロープ３の先はシーアンカー本体５の周縁部６にほぼ均等間隔で接続されている。本発明の張りロープ３は、それぞれ、アンカーロープ２から延びた単一の第１張りロープ３３と、第１張りロープ３３から延びてシーアンカー本体５の周縁部６にほぼ均等間隔で接続された複数本の第２張りロープ３４とで構成されている。図１では、各張りロープ３は、１本の第１張りロープ３３から２本の第２張りロープ３４が延びた構成であり、全体として、４本の第１張りロープ３３からそれぞれ２本の第２張りロープ３４が延びて、合計８本の第２張りロープ３４がシーアンカー本体５の周縁部６にほぼ均等間隔で接続された構成である。第１張りロープ３３に対して必要に応じて第２張りロープ３４の本数を増やすこともできる。張りロープ３を全て１本の長いロープで構成した場合には、絡まりが生じ易いが、複数の第２張りロープ３４によって、第１張りロープ３３の本数を少なくでき、絡まりを少なくでき、またシーアンカー本体５を均等な状態で綺麗に開くことができる。
【００１１】
第１張りロープ３３と第２張りロープ３４との各接続部には、それぞれ環（輪）７が両ロープ３３、３４に跨って取り付けられている。また、第１張りロープ３３と第２張りロープ３４との接続の仕方を容易にする方法として、環（輪）７を介して両ロープ３３、３４を接続した構成でもよい。環（輪）７を貫通してシーアンカー本体５の開き具合を調節する調節ロープ８を設けている。この調節ロープ８の絞り具合によって、第１張りロープ３３と第２張りロープ３４が、各環（輪）７を中心として張りロープ３が絞られたり開いたりすることによって、シーアンカー本体５の周縁部６が縮まったり開いたりするので、シーアンカー本体５の開口の大きさが変更できる。これによって、海流、風等の影響による環境条件に適応できるシーアンカーが提供できる。
【００１２】
アンカーロープ２の先の接続部４は、第１の接続具９Ａと、これに回転自在に結合された第２の接続具９Ｂから構成され、第１の接続具９Ａにアンカーロープ２の先が係止され、第２の接続具９Ｂに各第１張りロープ３３の基部が係止されている。このため、シーアンカー本体５の回動に伴う各第１張りロープ３３の全体的な回動がアンカーロープ２に対して充分に許容され、アンカーロープ２及び張りロープ３の捻れが矯正できる。
【００１３】
シーアンカー本体５は、張りロープ３３、３４によってその周縁部６が引っ張られて水中でパラシュート状に広がるが、シーアンカー本体５の中央部には、シーアンカー本体５内の海水がシーアンカー本体５外へ向けて筒状に通過する整流部１２を設けている。これによって、シーアンカー本体５の中央部に単に孔を明けたものに比して海水の流れ方向がこの整流部１２で柱状になるので、方向舵のような作用をなし、シーアンカー本体５の方向を安定化できる。整流部１２内には、整流部１２が安定的に開いた状態を保つように補強梁をクロス状に設けている。
【００１４】
シーアンカー本体５は開いた状態では、周縁部６が円形状を呈するものでもよいが、図１に示すように多角形を形成するものでもよい。図１には、周縁部６が８角形状の傘状に開くものを示している。これにおいて、シーアンカー本体５は、８枚のほぼ三角形状の部分布５Ａから構成され、各コーナ６Ｃと整流部１２の根元部分とに亘って、部分布５Ａ相互の結合ライン１３が形成される。そして、各コーナ６Ｃに第２張りロープ３４が接続されている。また、周縁部６は、浮力フレーム部６Ａと沈子フレーム部６Ｂとしたフレーム構成である。浮力フレーム部６Ａは、合成樹脂製発泡材を合成樹脂製の糸で編んだ浮力ロープ構成であり、海中において充分な浮力を有する構成である。一方、沈子フレーム部６Ｂは、海中に沈む比重を有するように鉛等の重量材入りロープ構成であり、これによって、シーアンカー本体５は海中において、沈子フレーム部６Ｂが下になり浮力フレーム部６Ａが上になった状態で安定するので、海中においてシーアンカー本体５がくるくる回転することが抑止できる。シーアンカー本体５と整流部１２は、テトロン、ナイロン等の合成樹脂製の糸を布状に織ったものであり、水分を含んだ状態においても、浮力フレーム部６Ａによって、シーアンカー１が海中において沈み過ぎず浮きすぎず、安定的な状態を維持できる。
【００１５】
１４は、一端部がシーアンカー本体５の中央部に接続されたシーアンカー引き上げロープである。図１には、シーアンカー引き上げロープ１４の一端部は、整流部１２に接続され、ロープ１４の途中の部分は、接続部４の一部である接続具９Ａに設けた保持環１５に移動自在に挿通されている。これによって、シーアンカー引き上げロープ１４の手許部分（図１で左側部分）を手繰り寄せることによって、シーアンカー引き上げロープ１４は接続部４に沿って船艇方向へ引かれつつシーアンカー本体５を船艇上に引き上げることができるので、引き上げ操作によるロープの絡まりもなく、引き上げ操作がスムーズに行える。
【００１６】
シーアンカー本体５には、シーアンカー本体５を海中に沈めるために作用する錘１６と、シーアンカー本体５の位置を海上の人に知らせるための目印とする浮力体１７とを設けている。図１では、錘１６と浮力体１７は、それぞれのロープの端が整流部１２内に設けた補強梁１８に接続されている。浮力体１７はシーアンカー本体５の位置を海上の人に知らせるための目印とするものであり、そのロープ１７Ａは、シーアンカー本体５が海中に安定している状態では、充分に撓む長さを有し、シーアンカー本体５に浮力を与える必要はなく、そのために、かなり小型軽量ものでよくなる。錘１６は、シーアンカー１が斜め下方降へ向く姿勢で海中に沈むようにするためのものである。このため、シーアンカー本体５は、錘１６によって整流部１２が海中に深くなる方向へ沈み、且つ浮力フレーム部６Ａと沈子フレーム部６Ｂとによって、浮力フレーム部６Ａ側を上にした海中での安定姿勢をとる。シーアンカー１の引き上げは、シーアンカー引き上げロープ１４の手許部分（図１で左側部分）を手繰り寄せることによって、シーアンカー本体５を船艇上に引き上げることができるが、このとき錘１６と浮力体１７はシーアンカー本体５の中央部にロープで取り付けられているため、シーアンカー１の引き上げ操作に邪魔にならない。
【００１７】
シーアンカー本体５に浮力フレーム部６Ａと沈子フレーム部６Ｂとを設けず、シーアンカー本体５が、錘１６とのバランスで海中での正規の姿勢を保つように浮力体（ブイ）によって浮力を与える方式でもよい。
【００１８】
図２乃至図４には、本発明のシーアンカー収納バッグ５０を示し、図５にはシーアンカー１をシーアンカー収納バッグ５０に収納した状態を示している。これにおいて、シーアンカー収納バッグ５０は、開いた状態において上面に開口５１を有した直方形状の本体５２と、この本体５２に組み合わされて上面開口５１を開閉する蓋５３を有し、本体５２内は複数の縦仕切壁５４によって、中間部にシーアンカー本体５と張りロープ３の収納部５５と、この収納部５５を挟んでアンカーロープ２の収納部５６とシーアンカー引き上げロープ１４の収納部５７とに区画され、アンカーロープ２の収納部５６に併設して浮力体１７の収納部５８が区画され、本体５２には運搬用ベルト５９を設けている。蓋５３は、その一つの長辺側を本体５２の長辺側の側壁に取り付けられて本体５２の上面開口５１を開閉する。蓋５３と本体５２とは、蓋５３の開閉可動側の裏側と、本体５２の他方の長辺側の側壁には、それぞれ相互に押圧にて接合され、剥がし操作にてその接合が解除されるファスナー６０、６１を設けている。シーアンカー収納バッグ５０は、テトロン、ナイロン等の合成樹脂製の糸を布状に織ったもので構成され、耐水性に優れ、折り畳み可能な可撓性であり、運搬用ベルト５９を肩に掛けて運搬するのに適する。
【００１９】
このように、重量と嵩の大きいシーアンカー本体５と張りロープ３の収納部５５が中間部に配置されるため、本体５２内での収納バランスをとりやすく収納状態が安定する。また、収納部５５を挟んでアンカーロープ２とシーアンカー引き上げロープ１４が収納されるので、両ロープの絡まりを抑制した収納ができる。
【００２０】
またシーアンカー収納バッグ５０は、収納部５５の底壁に二つの排水孔６２を設け、収納部５６、５７及び５８の底部のコーナ部には排水孔６３をそれぞれ設けている。これによって、シーアンカー１を引き上げたときの海水の排水と、シーアンカー１の洗浄水の排水ができ、運搬及び保管時の状態が良好となる。
【００２１】
更に、シーアンカー収納バッグ５０は、アンカーロープ２とシーアンカー引き上げロープ１４は、それぞれ本体５２の側壁に形成した孔７０、７１に通した状態でこの孔７０、７１から抜けないようにするために、アンカーロープ２とシーアンカー引き上げロープ１４の手許部にこの孔よりも大なる形状の結び部７２、７２を形成して、この孔７０、７１に係止できるようにしている。これによって、アンカーロープ２とシーアンカー引き上げロープ１４の端が所定位置に存在することになり、これらロープの絡まりの抑制と共にこれらロープ操作を速やかに行う上で効果がある。船艇８０上に置かれたシーアンカー収納バッグ５０からシーアンカー１を取り出して船艇８０から海中へ流して使用する場合には、先ず、アンカーロープ２の手許部を本体５２の側壁に形成した孔７０から引き出し、船艇８０の舳先に設けたクリート部等のアンカーロープ止め部８１にしっかりと取り付ける。この場合、シーアンカー引き上げロープ１４の手許部も孔７１から引き出して前記アンカーロープ止め部８１又はその他の部分に取り付ければ、シーアンカー引き上げロープ１４の確保上好ましい。この状態で、船艇上に置かれたシーアンカー収納バッグ５０からシーアンカー１を海中へ流す。この場合シーアンカー収納バッグ５０は船艇８０の舳先部分に置かれた状態である。このような状態は図６に示す。なお、シーアンカー引き上げロープ１４もアンカーロープ２と共に同じ孔７０に通すようにしてもよい。
【００２２】
本発明は更に、アンカーロープ２とアンカーロープ２の収納部５６を同色に、またシーアンカー引き上げロープ１４とシーアンカー引き上げロープ１４の収納部５８とを前記色と異なる同色に着色して、各ロープの収納位置を定めることによって、収納整理の明確化を図ることができる。
【００２３】
本発明は、上記実施形態に限定されず、本発明の技術的範囲を逸脱しないかぎり種種の変更が考えられ、それに係る種種の実施形態を包含するものである。
【００２４】
【発明の効果】
第１の発明によって、シーアンカー本体を収納バッグに整理して収納し運搬することが容易となり、収納、運搬作業が楽になる。また、アンカーロープとシーアンカー引き上げロープが収納されるので、両ロープの絡まりを抑制した収納ができる。また収納バッグ本体内の収納バランスをとりやすく収納状態が安定する。
【００２５】
第２の発明によって、アンカーロープとシーアンカー引き上げロープの端が所定位置に存在することになり、これらロープの絡まりの抑制と共にこれらロープ操作を速やかに行う上で効果がある。
【００２６】
第３の発明によって、各ロープの収納位置を定めることができ、収納整理の明確化を図ることができる。
【図面の簡単な説明】
【図１】本発明のシーアンカー全体を示す側面図である。
【図２】本発明のシーアンカー収納バッグ本体の平面図である。
【図３】本発明のシーアンカー収納バッグ本体の正面図である。
【図４】本発明のシーアンカー収納バッグの上部を断面した側面図である。
【図５】本発明のシーアンカー収納バッグにシーアンカーを収納した状態を示す斜視図である。
【図６】本発明のシーアンカーを船艇から海中へ流した状態の説明図である。
【符号の説明】
１……シーアンカー
２……アンカーロープ
３……張りロープ
３３…第１張りロープ
３４…第２張りロープ
４……接続部
５……シーアンカー本体
６……周縁部
７……環（輪）
８……調節ロープ
９……接続部
１２…整流部
１４…シーアンカー引き上げロープ
１５…環（輪）
１６…錘
１７…浮力体
５０…シーアンカー収納バッグ
５１…上面開口
５２…収納バッグ本体
５３…蓋
５４…仕切壁
５５…中間収納部
５６…アンカーロープ収納部
５７…シーアンカー引き上げロープ収納部
５８…浮力体収納部
５９…ベルト
６２…排水孔
６３…排水孔
８０…船艇
【図１】
0004422869.tif 000002
【図２】
0004422869.tif 000003
【図３】
0004422869.tif 000004
【図４】
0004422869.tif 000005
【図５】
0004422869.tif 000006
【図６】
0004422869.tif 000007